(57)【要約】【課題】ユーザの所望するＴＶ番組の視聴または録画に関して、ユーザの状況に対応した情報を提供する。【解決手段】録画装置１１は、ＴＶ番組を受信し、受信したＴＶ番組を記録することができる。録画装置１１は、近距離無線通信または公衆網１４によって携帯電話機１３と通信可能である。録画装置１１は、携帯電話機１３との近距離無線通信が可能である場合、受信したＴＶ番組を表示装置１２に出力する予定であることを示す視聴案内情報を、近距離無線通信で携帯電話機１３に送信する一方、近距離無線通信が不能である場合、ＴＶ番組を録画する予定であることを示す録画案内情報を、公衆網１４を介して携帯電話機１３に送信する。【選択図】図１
2008135990.tif 000002
【特許請求の範囲】
【請求項１】
スケジュールに基づいて送信されるデータを受信し、受信したデータを記録可能なデータ記録装置であって、
前記データを受信するデータ受信部と、
前記スケジュールおよび前記データを記録する記録部と、
前記データを出力するデータ出力部と、
移動体通信端末と近距離無線通信を行う無線通信部と、
前記移動体通信端末、または該移動体通信端末と通信可能なサーバと公衆網を介して通信を行う公衆網通信部と、
前記データのうち、ユーザが所望するデータであるユーザ所望データが送信される予定の時刻である送信予定時刻を、前記記録部に記録されたスケジュールを利用して取得する送信予定時刻取得手段と、
前記送信予定時刻よりも前に、前記ユーザ所望データの送信が近付いていることを示す案内情報を前記無線通信部または前記公衆網通信部に送出する案内送出手段と、
前記近距離無線通信が可能であるか否かを判断する通信判断手段とを備えており、
前記案内送出手段は、前記近距離無線通信が可能である場合、前記データ受信部が受信した前記ユーザ所望データを前記データ出力部が出力する予定であることを示す出力案内情報を、前記案内情報として前記近距離無線通信部に送出する一方、前記近距離無線通信が不能である場合、前記データ受信部が受信した前記ユーザ所望データを前記記録部に記録する予定であることを示す記録案内情報を、前記案内情報として前記公衆網通信部に送出することを特徴とするデータ記録装置。
【請求項２】
前記案内情報に対応する前記ユーザ所望データを記録することの要否を示す記録要否情報を、前記無線通信部または前記公衆網通信部から取得する記録要否取得手段と、
前記記録要否情報に基づいて、前記ユーザ所望データを記録するように前記記録部を制御する記録制御手段とを備えることを特徴とする請求項１に記載のデータ記録装置。
【請求項３】
現在時刻を取得する現在時刻取得手段をさらに備えており、
前記記録制御手段は、前記記録要否取得手段が前記記録要否情報を取得しておらず、かつ、前記現在時刻が前記送信予定時刻に到達した場合、前記ユーザ所望データを記録するように前記記録部を制御することを特徴とする請求項２に記載のデータ記録装置。
【請求項４】
スケジュールに基づいて放送されるテレビジョン信号を受信し、受信したテレビジョン信号、または該テレビジョン信号を処理した映像音声データを記録可能な録画装置であることを特徴とする請求項１ないし３の何れか１項に記載のデータ記録装置。
【請求項５】
スケジュールに基づいて送信されるデータを受信し、受信したデータを記録可能なデータ記録装置と通信を行う移動体通信端末であって、
前記データ記録装置と近距離無線通信を行う無線通信部と、
前記データ記録装置と公衆網を介して通信を行う公衆網通信部と、
情報の出力を行う出力部と、
前記データのうち、ユーザが所望するデータであるユーザ所望データの送信が近付いていることを示す案内情報を、前記無線通信部または前記公衆網通信部を介して取得する案内取得手段と、
取得した案内情報を出力するように前記出力部を制御する出力制御手段と、
前記ユーザ所望データが送信される予定の時刻である送信予定時刻を取得する送信予定時刻取得手段と、
現在時刻を取得する現在時刻取得手段とを備えており、
前記出力制御手段は、前記現在時刻が前記送信予定時刻に到達した場合、前記ユーザ所望データの記録を開始したことを示す記録開始情報を出力するように前記出力部を制御することを特徴とする移動体通信端末。
【請求項６】
ユーザからの入力を受け付ける入力部と、
前記入力部におけるユーザからの入力に基づいて、前記ユーザ所望データを記録することの要否を示す記録要否情報を作成する記録要否作成手段と、
作成した記録要否情報を前記無線通信部または前記公衆網通信部に送出する記録要否送出手段とを備えることを特徴とする請求項５に記載の移動体通信端末。
【請求項７】
携帯電話機であることを特徴とする請求項５または６に記載の移動体通信端末。
【請求項８】
スケジュールに基づいて送信されるデータを受信し、受信したデータを記録可能なデータ記録装置と公衆網を介して通信可能であり、かつ、該データ記録装置と近距離無線通信で通信可能である移動体通信端末と公衆網を介して通信可能であるサーバであって、
前記データ記録装置および前記移動体通信端末と前記公衆網を介して通信を行う通信部と、
前記データのうち、ユーザが所望するデータであるユーザ所望データの送信が近付いていることを示す案内情報を、前記データ記録装置から前記通信部を介して取得する案内取得手段と、
取得した案内情報を前記移動体通信端末に送信するように前記通信部を制御する案内送信制御手段と、
前記ユーザ所望データが送信される予定の時刻である送信予定時刻を取得する送信予定時刻取得手段と、
現在時刻を取得する現在時刻取得手段とを備えており、
前記案内送信制御手段は、前記現在時刻が前記送信予定時刻に到達した場合、前記ユーザ所望データの記録を開始したことを示す記録開始情報を移動体通信端末に送信するように前記通信部を制御することを特徴とするサーバ。
【請求項９】
前記移動体通信端末から前記通信部を介して受信した指示に基づき、前記ユーザ所望データを記録することの要否を示す記録要否情報を作成する記録要否作成手段と、
作成した記録要否情報を前記データ記録装置に送信するように、前記通信部を制御する記録要否送信制御手段とを備えることを特徴とする請求項８に記載のサーバ。
【請求項１０】
請求項１ないし４の何れか１項に記載のデータ記録装置と、該データ記録装置と近距離無線通信および公衆網を介して通信可能である、請求項５ないし７の何れか１項に記載の移動体通信端末とを備えることを特徴とするデータ記録システム。
【請求項１１】
請求項１ないし４の何れか１項に記載のデータ記録装置と、該データ記録装置と近距離無線通信を介して通信可能である移動体通信端末と、前記データ記録装置および前記移動体通信端末と公衆網を介して通信可能である、請求項８または９に記載のサーバとを備えることを特徴とするデータ記録システム。
【請求項１２】
請求項１ないし４の何れか１項に記載のデータ記録装置を動作させるためのデータ記録装置制御プログラムであって、コンピュータを上記の各手段として機能させるためのデータ記録装置制御プログラム。
【請求項１３】
請求項５ないし７の何れか１項に記載の移動体通信端末を動作させるための移動体通信端末制御プログラムであって、コンピュータを上記の各手段として機能させるための移動体通信端末制御プログラム。
【請求項１４】
請求項８または９に記載のサーバを動作させるためのサーバ制御プログラムであって、コンピュータを上記の各手段として機能させるためのサーバ制御プログラム。
【請求項１５】
請求項１２に記載のデータ記録装置制御プログラム、請求項１３に記載の移動体通信端末制御プログラム、および請求項１４に記載のサーバ制御プログラムのうち、少なくとも１つが記録されたコンピュータ読取り可能な記録媒体。
【請求項１６】
スケジュールに基づいて送信されるデータを受信し、受信したデータを記録可能なデータ記録装置であって、前記データを受信するデータ受信部と、前記スケジュールおよび前記データを記録する記録部と、前記データを出力するデータ出力部と、移動体通信端末と近距離無線通信を行う無線通信部と、前記移動体通信端末、または該移動体通信端末と通信可能なサーバと公衆網を介して通信を行う公衆網通信部とを備えるデータ記録装置の制御方法であって、
前記データのうち、ユーザが所望するデータであるユーザ所望データが送信される予定の時刻である送信予定時刻を、前記記録部に記録されたスケジュールを利用して取得する送信予定時刻取得ステップと、
前記送信予定時刻よりも前に、前記ユーザ所望データの送信が近付いていることを示す案内情報を前記無線通信部または前記公衆網通信部に送出する案内送出ステップと、
前記近距離無線通信が可能であるか否かを判断する通信判断ステップとを含んでおり、
前記案内送出ステップは、前記近距離無線通信が可能である場合、前記データ受信部が受信した前記ユーザ所望データを前記データ出力部が出力する予定であることを示す出力案内情報を、前記案内情報として前記近距離無線通信部に送出する一方、前記近距離無線通信が不能である場合、前記データ受信部が受信した前記ユーザ所望データを前記記録部に記録する予定であることを示す記録案内情報を、前記案内情報として前記公衆網通信部に送出することを特徴とするデータ記録装置の制御方法。
【請求項１７】
スケジュールに基づいて送信されるデータを受信し、受信したデータを記録可能なデータ記録装置と通信を行う移動体通信端末であって、前記データ記録装置と近距離無線通信を行う無線通信部と、前記データ記録装置と公衆網を介して通信を行う公衆網通信部と、情報の出力を行う出力部とを備える移動体通信端末の制御方法であって、
前記データのうち、ユーザが所望するデータであるユーザ所望データの送信が近付いていることを示す案内情報を、前記無線通信部または前記公衆網通信部を介して取得する案内取得ステップと、
取得した案内情報を出力するように前記出力部を制御する出力制御ステップと、
前記ユーザ所望データが送信される予定の時刻である送信予定時刻を取得する送信予定時刻取得ステップと、
現在時刻を取得する現在時刻取得ステップとを含んでおり、
前記出力制御ステップは、前記現在時刻が前記送信予定時刻に到達した場合、前記ユーザ所望データの記録を開始したことを示す記録開始情報を出力するように前記出力部を制御することを特徴とする移動体通信端末の制御方法。
【請求項１８】
スケジュールに基づいて送信されるデータを受信し、受信したデータを記録可能なデータ記録装置と公衆網を介して通信可能であり、かつ、該データ記録装置と近距離無線通信で通信可能である移動体通信端末と公衆網を介して通信可能であるサーバであって、前記データ記録装置および前記移動体通信端末と前記公衆網を介して通信を行う通信部を備えるサーバの制御方法であって、
前記データのうち、ユーザが所望するデータであるユーザ所望データの送信が近付いていることを示す案内情報を、前記データ記録装置から前記通信部を介して取得する案内取得ステップと、
取得した案内情報を前記移動体通信端末に送信するように前記通信部を制御する案内送信制御ステップと、
前記ユーザ所望データが送信される予定の時刻である送信予定時刻を取得する送信予定時刻取得ステップと、
現在時刻を取得する現在時刻取得ステップとを含んでおり、
前記案内送信制御ステップは、前記現在時刻が前記送信予定時刻に到達した場合、前記ユーザ所望データの記録を開始したことを示す記録開始情報を移動体通信端末に送信するように前記通信部を制御することを特徴とするサーバの制御方法。
【発明の詳細な説明】
【技術分野】
【０００１】
本発明は、データを受信し、受信したデータを記録可能なデータ記録装置ならびにその制御方法および制御プログラムと、上記データ記録装置と通信可能な移動体通信端末ならびにその制御方法および制御プログラムと、上記データ記録装置および上記移動体通信端末と通信可能なサーバならびにその制御方法および制御プログラムと、データ記録システムとに関するものである。特に、本発明は、放送されているテレビション（ＴＶ）番組を受信し、受信したＴＶ番組を録画可能な録画装置などに関するものである。
【背景技術】
【０００２】
近時の録画装置には、ＴＶ番組を受信するだけでなく、外部の通信装置と通信を行う通信機能を有しているものが存在する。また、近時のＰＣ（Personal Computer）には、上記通信機能と共に、ＴＶ番組を受信するＴＶチューナと、ＴＶ番組を録画可能な大容量ＨＤＤ（Hard Disk Drive）とを有しているものが存在する。そこで、ＴＶ番組を録画する場合、通信機能を利用して、ユーザに種々の利便性を提供することが提案されている。
【０００３】
例えば、特許文献１に記載のビデオ操作システムでは、ビデオ操作サーバは、インターネットを介して携帯電話機と通信でき、無線インタフェースを介してビデオデッキと通信できるようになっている。ビデオ操作サーバは、携帯電話機に番組放送予定表を送信し、携帯電話機からビデオデッキの操作信号を受信すると、これをビデオデッキに従った形式に変換してビデオデッキに送信する。これにより、携帯電話機からの操作命令に基づいてビデオデッキを遠隔操作することができる。したがって、ビデオデッキが設置されている場所に行かなくても、ビデオデッキに対する録画予約および再生などの操作が容易にできる。
【０００４】
また、通信機能を利用して、ユーザが所望する番組を見逃さないための方法も提案されている。
【０００５】
例えば、特許文献２に記載の情報処理システムでは、まず、ユーザの携帯電話機に対して電子番組表を表示し、各番組の中から所望の番組をマークさせる。次に、モバイルサーバ装置は、このユーザによりマークされた番組の放送開始時刻及び放送終了時刻を、ユーザから別に記憶制御されたユーザのスケジュールを示すスケジュールデータと比較する。上記マークされた番組の放送時間が、ユーザのスケジュールと重なる場合、モバイルサーバ装置は、ユーザの携帯電話機に対して該マークした番組の遠隔操作による録画設定を促すメッセージを送信する。これにより、ユーザは、上記メッセージに基づいて、携帯電話機からインターネット等を介してビデオテープレコーダ装置に録画設定を行うことができ、マークした番組の見逃しを防止することができる。
【０００６】
また、特許文献３に記載の録画装置は、携帯端末装置からインターネット等を介して受信した番組予約の情報に基づいて番組予約を行い、携帯端末装置と近距離無線通信を介して通信できた場合に、番組予約した番組が視聴されていると判断して、上記番組の録画を禁止している。これにより、録画予約された番組であっても、利用者がその番組を視聴している場合には、その番組を録画しないので、記録媒体の有効利用を可能にする。また、上記録画装置は、携帯端末装置と近距離無線通信を介して通信できたときに、録画予約時刻になった、または近付いたことを報知している。
【特許文献１】特開２００２−１７６６１０号公報（２００２年６月２１日公開）
【特許文献２】特開２００４−１９２４６８号公報（２００４年７月８日公開）
【特許文献３】特開２００５−２２３８０１号公報（２００５年８月１８日公開）
【発明の開示】
【発明が解決しようとする課題】
【０００７】
しかしながら、特許文献２に記載の情報処理システムでは、ユーザが実際にスケジュール通りに行動しているとは限らず、予定外の事態が発生した場合、ユーザがマークした番組を見逃す虞がある。また、特許文献３に記載の録画装置では、携帯端末装置と近距離無線通信を介して通信できない場合、録画予約時刻になった、または近付いたことが報知されないことになる。
【０００８】
本発明は、上記の問題点に鑑みてなされたものであり、その目的は、ユーザの所望するデータの出力または記録に関して、ユーザの状況に対応した情報を提供するデータ記録装置などを提供することにある。
【課題を解決するための手段】
【０００９】
本発明に係るデータ記録装置は、スケジュールに基づいて送信されるデータを受信し、受信したデータを記録可能なデータ記録装置であって、上記課題を解決するために、前記データを受信するデータ受信部と、前記スケジュールおよび前記データを記録する記録部と、前記データを出力するデータ出力部と、移動体通信端末と近距離無線通信を行う無線通信部と、前記移動体通信端末、または該移動体通信端末と通信可能なサーバと公衆網を介して通信を行う公衆網通信部と、前記データのうち、ユーザが所望するデータであるユーザ所望データが送信される予定の時刻である送信予定時刻を、前記記録部に記録されたスケジュールを利用して取得する送信予定時刻取得手段と、前記送信予定時刻よりも前に、前記ユーザ所望データの送信が近付いていることを示す案内情報を前記無線通信部または前記公衆網通信部に送出する案内送出手段と、前記近距離無線通信が可能であるか否かを判断する通信判断手段とを備えており、前記案内送出手段は、前記近距離無線通信が可能である場合、前記データ受信部が受信した前記ユーザ所望データを前記データ出力部が出力する予定であることを示す出力案内情報を、前記案内情報として前記近距離無線通信部に送出する一方、前記近距離無線通信が不能である場合、前記データ受信部が受信した前記ユーザ所望データを前記記録部に記録する予定であることを示す記録案内情報を、前記案内情報として前記公衆網通信部に送出することを特徴としている。
【００１０】
また、本発明に係るデータ記録装置の制御方法は、スケジュールに基づいて送信されるデータを受信し、受信したデータを記録可能なデータ記録装置であって、前記データを受信するデータ受信部と、前記スケジュールおよび前記データを記録する記録部と、前記データを出力するデータ出力部と、移動体通信端末と近距離無線通信を行う無線通信部と、前記移動体通信端末、または該移動体通信端末と通信可能なサーバと公衆網を介して通信を行う公衆網通信部とを備えるデータ記録装置の制御方法であって、上記課題を解決するために、前記データのうち、ユーザが所望するデータであるユーザ所望データが送信される予定の時刻である送信予定時刻を、前記記録部に記録されたスケジュールを利用して取得する送信予定時刻取得ステップと、前記送信予定時刻よりも前に、前記ユーザ所望データの送信が近付いていることを示す案内情報を前記無線通信部または前記公衆網通信部に送出する案内送出ステップと、前記近距離無線通信が可能であるか否かを判断する通信判断ステップとを含んでおり、前記案内送出ステップは、前記近距離無線通信が可能である場合、前記データ受信部が受信した前記ユーザ所望データを前記データ出力部が出力する予定であることを示す出力案内情報を、前記案内情報として前記近距離無線通信部に送出する一方、前記近距離無線通信が不能である場合、前記データ受信部が受信した前記ユーザ所望データを前記記録部に記録する予定であることを示す記録案内情報を、前記案内情報として前記公衆網通信部に送出することを特徴としている。
【００１１】
ここで、前記スケジュールは、ユーザからキーボードなどの入力デバイスを介して取得しても良いし、印刷物からスキャナを介して取得しても良いし、外部記録媒体から再生デバイスを介して取得しても良いし、外部の通信装置から通信デバイスを介して取得しても良い。また、ユーザが所望するデータとしては、ユーザが設定したデータや、データの受信履歴からユーザが所望すると予想されるデータが挙げられる。
【００１２】
上記の構成および方法によると、データ記録装置は、ユーザ所望データの送信が近付いていることを示す案内情報を、近距離無線通信または公衆網を介して移動体通信端末に送信している。これにより、移動体通信端末がデータ記録装置から遠く離れて、移動体通信端末とデータ記録装置との近距離無線通信が不能となった場合でも、データ記録装置から公衆網を介して移動体通信端末に案内情報を送ることができ、その結果、ユーザ所望データの送信が近付いていることをユーザに通知することができる。
【００１３】
ところで、データ記録装置と移動体通信端末との近距離無線通信が可能である場合、移動体通信端末のユーザは、データ記録装置に近い位置に存在すると考えられる。従って、上記ユーザは、ユーザ所望データの送信が近付いていることが通知されると、送信予定時刻にデータ記録装置に近付いて、データ記録装置からのユーザ所望データの出力を参照できると考えられる。
【００１４】
一方、上記近距離無線通信が不能である場合、上記ユーザは、データ記録装置から離れた位置に存在すると考えられる。このため、上記ユーザは、ユーザ所望データの送信が近付いていることが通知されても、送信予定時刻にデータ記録装置に近付けず、データ記録装置からのユーザ所望データの出力を参照できない虞がある。この場合、上記ユーザは、ユーザ所望データの記録を所望すると考えられる。
【００１５】
そこで、本発明のデータ記録装置は、移動体通信端末との近距離無線通信が可能である場合、データ受信部が受信したユーザ所望データをデータ出力部が出力する予定であることを示す出力案内情報を、近距離無線通信で移動体通信端末に送信している。一方、上記近距離無線通信が不能である場合、上記データ記録装置は、上記ユーザ所望データを記録部に記録する予定であることを示す記録案内情報を、公衆網を介して移動体通信端末に送信している。
【００１６】
これにより、移動体通信端末のユーザには、データ記録装置に近い位置に存在する場合には、出力案内情報が提供され、データ記録装置から遠い位置に存在する場合には、記録案内情報が提供されるので、ユーザの状況に対応した案内情報をユーザに提供することができる。
【００１７】
なお、上記データ受信部と上記公衆網通信部とは一体に構成されていてもよい。また、上記案内情報の送信は、上記送信予定時刻から所定時間（例えば１０分）前に行われることが望ましい。また、この所定時間は、ユーザにより、または自動的に変更可能であることが望ましい。
【００１８】
ところで、上記ユーザがデータ記録装置に近い位置に存在しても、何らかの作業を行っているためデータ記録装置からのユーザ所望データの出力を参照できない場合も有り得る。また、案内情報に対応するユーザ所望データを、上記ユーザがもはや参照不要となっている場合も有り得る。
【００１９】
そこで、本発明に係るデータ記録装置では、前記案内情報に対応する前記ユーザ所望データを記録することの要否を示す記録要否情報を、前記無線通信部または前記公衆網通信部から取得する記録要否取得手段と、前記記録要否情報に基づいて、前記ユーザ所望データを記録するように前記記録部を制御する記録制御手段とを備えることが望ましい。この場合、上記ユーザは、現在の状況に応じて、ユーザ所望データを記録するか否かを決定することができる。
【００２０】
本発明に係るデータ記録装置では、現在時刻を取得する現在時刻取得手段をさらに備えており、前記記録制御手段は、前記記録要否取得手段が前記記録要否情報を取得しておらず、かつ、前記現在時刻が前記送信予定時刻に到達した場合、前記ユーザ所望データを記録するように前記記録部を制御することが好ましい。この場合、記録要否情報を送信予定時刻までに取得できなくても、ユーザ所望データを記録しておくので、後にユーザがユーザ所望データを参照できなくなることを防止できる。なお、現在時刻は、装置内に設けられたカレンダクロックから取得してもよいし、ユーザから入力手段を介して取得してもよいし、現在時刻を計測している外部の装置から取得してもよい。
【００２１】
なお、スケジュールに基づいて送信されるものとしては、テレビジョン放送が挙げられる。そこで、本発明に係るデータ記録装置は、スケジュールに基づいて放送されるテレビジョン信号を受信し、受信したテレビジョン信号、または該テレビジョン信号を処理した映像音声データを記録可能な録画装置に適用することが好ましい。
【００２２】
本発明に係る移動体通信端末は、スケジュールに基づいて送信されるデータを受信し、受信したデータを記録可能なデータ記録装置と通信を行う移動体通信端末であって、上記課題を解決するために、前記データ記録装置と近距離無線通信を行う無線通信部と、前記データ記録装置と公衆網を介して通信を行う公衆網通信部と、情報の出力を行う出力部と、前記データのうち、ユーザが所望するデータであるユーザ所望データの送信が近付いていることを示す案内情報を、前記無線通信部または前記公衆網通信部を介して取得する案内取得手段と、取得した案内情報を出力するように前記出力部を制御する出力制御手段と、前記ユーザ所望データが送信される予定の時刻である送信予定時刻を取得する送信予定時刻取得手段と、現在時刻を取得する現在時刻取得手段とを備えており、前記出力制御手段は、前記現在時刻が前記送信予定時刻に到達した場合、前記ユーザ所望データの記録を開始したことを示す記録開始情報を出力するように前記出力部を制御することを特徴としている。
【００２３】
また、本発明に係る移動体通信端末の制御方法は、スケジュールに基づいて送信されるデータを受信し、受信したデータを記録可能なデータ記録装置と通信を行う移動体通信端末であって、前記データ記録装置と近距離無線通信を行う無線通信部と、前記データ記録装置と公衆網を介して通信を行う公衆網通信部と、情報の出力を行う出力部とを備える移動体通信端末の制御方法であって、上記課題を解決するために、前記データのうち、ユーザが所望するデータであるユーザ所望データの送信が近付いていることを示す案内情報を、前記無線通信部または前記公衆網通信部を介して取得する案内取得ステップと、取得した案内情報を出力するように前記出力部を制御する出力制御ステップと、前記ユーザ所望データが送信される予定の時刻である送信予定時刻を取得する送信予定時刻取得ステップと、現在時刻を取得する現在時刻取得ステップとを含んでおり、前記出力制御ステップは、前記現在時刻が前記送信予定時刻に到達した場合、前記ユーザ所望データの記録を開始したことを示す記録開始情報を出力するように前記出力部を制御することを特徴としている。
【００２４】
ここで、送信予定時刻は、案内情報に含まれている場合には、該案内情報から取得すればよい。また、スケジュールを別途取得し、取得したスケジュールから送信予定時刻を取得してもよい。
【００２５】
上記の構成および方法によると、移動体通信端末は、ユーザ所望データの送信が近付いていることを示す案内情報を、データ記録装置から近距離無線通信または公衆網を介して受信して出力するので、上述のように、ユーザ所望データの送信が近付いていることをユーザに通知することができる。さらに、上記ユーザ所望データの送信予定時刻を経過した場合、移動体通信端末は、上記ユーザ所望データの記録をデータ記録装置が開始したことを示す記録開始情報を出力している。このように、移動体通信端末は、ユーザ所望データの送信前後で、的確な情報をユーザに通知することができる。
【００２６】
本発明に係る移動体通信端末では、ユーザからの入力を受け付ける入力部と、前記入力部におけるユーザからの入力に基づいて、前記ユーザ所望データを記録することの要否を示す記録要否情報を作成する記録要否作成手段と、作成した記録要否情報を前記無線通信部または前記公衆網通信部に送出する記録要否送出手段とを備えることが好ましい。この場合、上記ユーザは、上述のように、現在の状況に応じて、ユーザ所望データを記録するか否かを決定することができる。
【００２７】
なお、現在、移動体通信端末として最も普及しているものは携帯電話機である。したがって、本発明に係る移動体通信端末は、携帯電話機に適用することが好ましい。
【００２８】
本発明に係るサーバは、スケジュールに基づいて送信されるデータを受信し、受信したデータを記録可能なデータ記録装置と公衆網を介して通信可能であり、かつ、該データ記録装置と近距離無線通信で通信可能である移動体通信端末と公衆網を介して通信可能であるサーバであって、上記課題を解決するために、前記データ記録装置および前記移動体通信端末と前記公衆網を介して通信を行う通信部と、前記データのうち、ユーザが所望するデータであるユーザ所望データの送信が近付いていることを示す案内情報を、前記データ記録装置から前記通信部を介して取得する案内取得手段と、取得した案内情報を前記移動体通信端末に送信するように前記通信部を制御する案内送信制御手段と、前記ユーザ所望データが送信される予定の時刻である送信予定時刻を取得する送信予定時刻取得手段と、現在時刻を取得する現在時刻取得手段とを備えており、前記案内送信制御手段は、前記現在時刻が前記送信予定時刻に到達した場合、前記ユーザ所望データの記録を開始したことを示す記録開始情報を移動体通信端末に送信するように前記通信部を制御することを特徴としている。
【００２９】
また、本発明に係るサーバの制御方法は、スケジュールに基づいて送信されるデータを受信し、受信したデータを記録可能なデータ記録装置と公衆網を介して通信可能であり、かつ、該データ記録装置と近距離無線通信で通信可能である移動体通信端末と公衆網を介して通信可能であるサーバであって、前記データ記録装置および前記移動体通信端末と前記公衆網を介して通信を行う通信部を備えるサーバの制御方法であって、上記課題を解決するために、前記データのうち、ユーザが所望するデータであるユーザ所望データの送信が近付いていることを示す案内情報を、前記データ記録装置から前記通信部を介して取得する案内取得ステップと、取得した案内情報を前記移動体通信端末に送信するように前記通信部を制御する案内送信制御ステップと、前記ユーザ所望データが送信される予定の時刻である送信予定時刻を取得する送信予定時刻取得ステップと、現在時刻を取得する現在時刻取得ステップとを含んでおり、前記案内送信制御ステップは、前記現在時刻が前記送信予定時刻に到達した場合、前記ユーザ所望データの記録を開始したことを示す記録開始情報を移動体通信端末に送信するように前記通信部を制御することを特徴としている。
【００３０】
上記の構成および方法によると、サーバは、ユーザ所望データの送信が近付いていることを示す案内情報を、データ記録装置から公衆網を介して受信すると、受信した案内情報を、公衆網を介して移動体通信端末に送信している。これにより、上述のように、ユーザ所望データの送信が近付いていることをユーザに通知することができる。さらに、上記ユーザ所望データの送信予定時刻を経過した場合、サーバは、上記ユーザ所望データの記録をデータ記録装置が開始したことを示す記録開始情報を、公衆網を介して移動体通信端末に送信している。これにより、上記ユーザ所望データの記録が開始されていることをユーザに通知することができる。このように、サーバは、ユーザ所望データの送信前後で、的確な情報をユーザに通知することができる。
【００３１】
本発明に係るサーバでは、前記移動体通信端末から前記通信部を介して受信した指示に基づき、前記ユーザ所望データを記録することの要否を示す記録要否情報を作成する記録要否作成手段と、作成した記録要否情報を前記データ記録装置に送信するように、前記通信部を制御する記録要否送信制御手段とを備えることが好ましい。この場合、上記ユーザは、上述のように、現在の状況に応じて、ユーザ所望データを記録するか否かを決定することができる。
【００３２】
なお、上記構成のデータ記録装置と、該データ記録装置と近距離無線通信および公衆網を介して通信可能である上記構成の移動体通信端末とを備えるデータ記録システムであれば、上述の効果と同様の効果を奏することができる。また、上記構成のデータ記録装置と、該データ記録装置と近距離無線通信を介して通信可能である移動体通信端末と、前記データ記録装置および前記移動体通信端末と公衆網を介して通信可能である上記構成のサーバとを備えることデータ記録システムであれば、上述の効果と同様の効果を奏することができる。
【００３３】
なお、上記データ記録装置の各手段を、データ記録装置制御プログラムによりコンピュータ上で実行させることができる。また、上記移動体通信端末の各手段を、移動体通信端末制御プログラムによりコンピュータ上で実行させることができる。また、上記サーバの各手段を、サーバ制御プログラムによりコンピュータ上で実行させることができる。さらに、上記データ記録装置制御プログラム、上記移動体通信端末制御プログラム、および上記サーバ制御プログラムのうち、少なくとも１つをコンピュータ読取り可能な記録媒体に記憶させることにより、任意のコンピュータ上で当該制御プログラムを実行させることができる。
【発明の効果】
【００３４】
以上のように、本発明に係るデータ記録装置は、移動体通信端末との近距離無線通信が可能である場合、出力案内情報を近距離無線通信で移動体通信端末に送信する一方、上記近距離無線通信が不能である場合、記録案内情報を公衆網を介して移動体通信端末に送信するので、ユーザの状況に対応した案内情報をユーザに提供できるという効果を奏する。
【発明を実施するための最良の形態】
【００３５】
〔実施の形態１〕
本発明の一実施形態について図１〜図１０を参照して説明する。図１は、本実施形態の視聴システムの概要を示している。図示のように、視聴システム（データ記録システム）１０は、録画装置（データ記録装置）１１、表示装置１２、携帯電話機（移動体通信端末）１３、公衆網１４、および基地局１５を備える構成である。
【００３６】
録画装置１１は、放送局（図示せず）から放送されるＴＶ番組のＴＶ信号を受信し、受信したＴＶ信号を記録媒体に記録するものである。また、録画装置１１は、受信または記録したＴＶ信号を表示装置１２に出力する。
【００３７】
表示装置１２は、録画装置１１からのＴＶ信号に基づいて、ＴＶ映像を表示し、ＴＶ音声を出力するものである。これにより、ユーザＵはＴＶ番組を視聴することができる。なお、表示装置１２としては、現在市販されている一般的なＴＶ受像機を利用することができるので、本願では表示装置１２の詳細な説明は省略する。また、録画装置１１および表示装置１２は一体の構成であってもよい。
【００３８】
携帯電話機１３は、無線を利用した携帯可能な電話機である。具体的には、携帯電話機１３は、基地局１５および公衆網１４を介して、相手先と通話および通信を行うものであり、基地局１５との通信が無線で行われるため、ユーザＵが携帯して利用することができる。なお、公衆網１４は、少なくとも携帯電話網を含む他、電話回線網、インターネットなど、公知の通信ネットワークを含んでもよい。
【００３９】
本実施形態では、録画装置１１および携帯電話機１３は、近距離無線通信機能を有している。近距離無線通信の例としては、ブルートゥース（Bluetooth）（登録商標）、ジグビー（ZigBee）、ＵＷＢ（Ultra WideBand）、無線ＬＡＮ（ＩＥＥＥ８０２．１１）などが挙げられる。また、データ伝送媒体の例としては、光、電波などが挙げられる。しかしながら、赤外線などの光を利用する場合、照射方向を送信先の受光部に合わせる必要があるので、データ伝送媒体としては電波が望ましい。
【００４０】
一般に、部屋でＴＶ番組を視聴するユーザＵは、表示装置１２から２〜４ｍ離れた位置でＴＶ番組を視聴する。また、録画装置１１は表示装置１２付近に配置される。したがって、本実施形態では、録画装置１１と携帯電話機１３との近距離無線通信は、通信可能範囲が約５ｍであることが望ましい。
【００４１】
本実施形態の視聴システム１０では、録画装置１１は、ユーザＵが所望するＴＶ番組（ユーザ所望データ）の放送が近付いていることを示す案内情報を、近距離無線通信または公衆網１４を介して携帯電話機１３に送信している。これにより、携帯電話機１３が録画装置１１から遠く離れて、携帯電話機１３と録画装置１１との近距離無線通信が不能となった場合でも、録画装置１１から公衆網１４を介して携帯電話機１３に案内情報を送ることができ、その結果、上記ＴＶ番組の放送が近付いていることをユーザＵに通知することができる。
【００４２】
ところで、録画装置１１と携帯電話機１３との近距離無線通信が可能である場合、携帯電話機１３のユーザＵは、録画装置１１に近い位置に存在すると考えられる。従って、ユーザＵは、上記ＴＶ番組の放送が近付いていることが通知されると、放送予定時刻に録画装置１１に近付いて、上記ＴＶ番組を視聴すると予想される。
【００４３】
一方、上記近距離無線通信が不能である場合、ユーザＵは、録画装置１１から離れた位置に存在すると考えられる。このため、ユーザＵは、上記ＴＶ番組の放送が近付いていることが通知されても、放送予定時刻に録画装置１１に近付けず、上記ＴＶ番組を視聴できない虞がある。この場合、ユーザＵは、上記ＴＶ番組の録画を所望すると予想される。
【００４４】
そこで、本実施形態における録画装置１１は、携帯電話機１３との近距離無線通信が可能である場合、受信したＴＶ番組を表示装置１２に出力する予定であることを示す視聴案内情報（出力案内情報）を、近距離無線通信で携帯電話機１３に送信している。一方、上記近距離無線通信が不能である場合、録画装置１１は、上記ＴＶ番組を録画する予定であることを示す録画案内情報（記録案内情報）を、公衆網１４を介して携帯電話機１３に送信している。
【００４５】
これにより、携帯電話機１３のユーザＵには、録画装置１１に近い位置に存在する場合には、視聴案内情報が提供され、録画装置１１から遠い位置に存在する場合には、録画案内情報が提供されるので、ユーザＵの状況に対応した案内情報をユーザＵに提供することができる。
【００４６】
次に、録画装置１１および携帯電話機１３の詳細について、図２〜図１０を参照して説明する。まず、録画装置１１の詳細について説明する。図２は、録画装置１１の概略構成を示している。図示のように、録画装置１１は、制御部２０、記憶部（記録部）２１、チューナ部（データ受信部）２２、ＡＶ出力部（データ出力部）２３、記録部２４、無線通信部２５、公衆網通信部２６、操作部２７、およびカレンダクロック２８を備える構成である。
【００４７】
制御部２０は、録画装置１１内の各種構成を統括的に制御するものである。制御部２０の機能は、例えばＲＡＭ（random access memory）やフラッシュメモリなどの記憶装置に記憶されたプログラムをＣＰＵ（Central Processing Unit）が実行することによって実現される。なお、制御部２０の詳細は後述する。
【００４８】
記憶部２１は、各種データおよびプログラムを記憶するものである。記憶部２１の例としては、制御部２０が動作するときに必要なプログラムや、通信制御データなどの固定データを記憶する読出し専用の半導体メモリであるＲＯＭ（Read Only Memory）と、通信に関するデータ、演算に使用するデータ、および演算結果などを一時的に記憶する、いわゆるワーキングメモリとしてのＲＡＭと、各種の設定データ、電子メールデータなどを記憶する書換え可能な不揮発性メモリ（例えばフラッシュメモリ）とが挙げられる。なお、本実施形態において記憶部２１に記憶される情報の詳細は後述する。
【００４９】
チューナ部２２は、外部からの所望のチャンネルのＴＶ信号を選択して受信するものである。チューナ部２２は、受信したＴＶ信号を制御部２０に送信する。なお、ＴＶ信号は無線で受信してもよいし、有線で受信してもよい。また、ＴＶ信号は、アナログ信号でもよいし、デジタル信号でもよい。
【００５０】
ＡＶ出力部２３は、制御部２０から受信したＴＶ信号を表示装置１２に出力するものである。なお、ＡＶ出力部２３は、ＴＶ信号を表示装置１２に有線で出力してもよいし、無線で出力してもよい。また、ＡＶ出力部２３は、出力形式に対応して、ＴＶ信号を変換してもよい。
【００５１】
記録部２４は、制御部２０からのＴＶ信号の情報を記録媒体に記録すると共に、記録媒体に記録された情報を再生して制御部２０に送信するものである。上記記録媒体の例としては、ビデオテープ、ハードディスク、ＤＶＤ（Digital Versatile Disk）、フラッシュメモリなどが挙げられる。
【００５２】
無線通信部２５は、制御部２０から受信したデータを近距離無線送信に適した形式に変換し、変換した無線信号を、無線通信用アンテナを介して外部に送信するとともに、外部から無線通信用アンテナを介して受信した無線信号を元の形式に変換し、変換したデータを制御部２０に送信するものである。具体的には、無線通信部２５では、データの変復調処理、ＲＦ（Radio Frequency）処理などが行われる。
【００５３】
公衆網通信部２６は、制御部２０から受信したデータを公衆網１４上の送信に適した形式に変換し、変換した信号を公衆網１４に送信するとともに、公衆網１４から受信した信号を元の形式に変換し、変換したデータを制御部２０に送信するものである。具体的には、公衆網通信部２６は、モデム、ルータ等の何れかを備える構成である。
【００５４】
操作部２７は、録画装置１１の表面に設けられた操作ボタンなどの入力デバイスをユーザＵが操作することにより、操作データを作成して制御部２０に送信するものである。入力デバイスとしては、ボタンスイッチの他にタッチパネルなどが挙げられる。
【００５５】
なお、操作部２７は、リモートコントローラ（以下、「リモコン」と略称する。）として録画装置１１の外部に設けることもできる。この場合、録画装置１１には、リモコンからの赤外線信号を受光し、受光した赤外線信号を電気信号に変換して制御部２０に送信する受光部を設ければよい。また、携帯電話機１３が赤外線リモコン機能を有する場合、上記リモコンの代わりに携帯電話機１３を利用することができる。また、携帯電話機１３が近距離無線通信または公衆網１４を介して録画装置１１を遠隔操作してもよい。この場合、上記受光部を設ける必要がない。
【００５６】
カレンダクロック２８は、現在の日時を測定するものであり、測定した現在の日時を示す日時情報を制御部２０に送信する。なお、カレンダクロック２８は、現在の年月も測定することが望ましい。また、カレンダクロック２８の日時は、ユーザＵが操作部２７を操作することにより設定してもよいし、タイムサーバ（図示せず）から公衆網１４を介して正確な時刻情報を取得して自動的に設定してもよい。
【００５７】
なお、録画装置１１は、受信したＴＶ信号に対し、映像処理および音声処理を施して、映像信号および音声信号を生成してもよい。この場合、ＡＶ出力部２３は、映像信号および音声信号を別々の通信経路で表示装置１２に送信することになる。
【００５８】
次に、録画装置１１における制御部２０および記憶部２１の詳細について図３に基づいて説明する。図３は、制御部２０および記憶部２１の概略構成を示している。図示のように、制御部２０は、ＡＶ出力制御部３１、録画制御部（記録制御手段）３２、番組予約部３３、放送日時監視部（送信予定時刻取得手段）３４、通信状況検知部（通信判断手段）３５、案内送出部（案内送出手段）３６、録画要否取得部（記録要否取得手段）３７、および視聴録画判断部（記録制御手段、現在時刻取得手段）３８を備える構成である。また、記憶部２１は、番組情報（スケジュール）４１、視聴予定情報４２、視聴履歴情報４３、およびユーザ情報４４を記憶している。なお、以下では、無線通信部２５、公衆網通信部２６、および操作部２７を総称して「入力部２９」という。
【００５９】
番組情報４１は、放送されるＴＶ番組に関する情報を含んでおり、具体的には、ＴＶ番組ごとに、タイトル、放送チャンネル、放送日時、識別コードなどを含んでいる。番組情報４１は、例えば、ＴＶ放送と同時に放送されるＥＰＧ（電子番組表）を受信することにより取得できる。
【００６０】
視聴予定情報４２は、将来放送されるＴＶ番組であって、ユーザＵが視聴を予定しているＴＶ番組に関する情報を含んでいる。視聴予定情報４２は、通常、ユーザＵによって設定されるが、後述の視聴履歴情報４３から自動的に設定されることもできる。
【００６１】
図４は、視聴予定情報４２の一例を表形式で示している。図示の例では、視聴予定情報４２は、ユーザＵが視聴を予定しているＴＶ番組ごとに、通し番号と、放送チャンネルと、放送日および放送時間帯と、録画する場合の録画先および録画モードとを含んでいる。
【００６２】
視聴履歴情報４３は、過去に放送されたＴＶ番組であって、ユーザＵが視聴したＴＶ番組に関する情報を含んでおり、具体的には、図４に示される視聴予定情報４２と同様の情報を含んでいる。なお、視聴履歴情報４３からユーザＵの趣味、嗜好などを判断してユーザＵが視聴すると予想されるＴＶ番組を特定するために、視聴履歴情報４３は、ユーザＵが視聴したＴＶ番組のジャンル、出演者などをさらに含んでもよい。
【００６３】
ユーザ情報４４は、ユーザＵに関する情報を含んでおり、具体的には、ユーザＵの氏名、生年月日、性別、パスワード、ユーザＵが所有する携帯電話機１３と近距離無線通信を行うための情報、上記携帯電話機１３のメールアドレスなどを含んでいる。なお、ユーザ情報４４は、ユーザＵの趣味や嗜好をさらに含んでもよい。
【００６４】
ＡＶ出力制御部３１は、ＴＶ信号を、ＡＶ出力部２３を介して表示装置１２に出力するか否かを制御するものである。具体的には、ＡＶ出力制御部３１は、チューナ部２２から受信したＴＶ信号をＡＶ出力部２３に送信するか、記録部２４から録画制御部３２を介して受信したＴＶ信号をＡＶ出力部２３に送信するか、或いは、ＴＶ信号のＡＶ出力部２３への送信を中止するものである。本実施形態では、ＡＶ出力制御部３１は、視聴録画判断部３８の判断結果に基づき、チューナ部２２から受信したＴＶ信号をＡＶ出力部２３に送信するか、或いは、ＴＶ信号のＡＶ出力部２３への送信を中止している。
【００６５】
録画制御部３２は、記録部２４に対して、ＴＶ信号の記録および再生を指示するものである。また、録画制御部３２は、再生された録画制御部３２をＡＶ出力制御部３１に送信する。本実施形態では、録画制御部３２は、視聴録画判断部３８の判断結果に基づき、チューナ部２２から受信したＴＶ信号を記録媒体に記録するように記録部２４に指示する。
【００６６】
番組予約部３３は、ユーザから入力部２９を介しての指示に基づいて、記憶部２１に視聴予定情報４２を追加することにより、ＴＶ番組の視聴の予約を行うものである。ここで、ユーザからの指示は、操作部２７を介して行われてもよいし、近距離無線通信を利用して、携帯電話機１３から無線通信部２５を介して行われてもよいし、公衆網１４を利用して、携帯電話機１３から公衆網通信部２６を介して行われてもよい。
【００６７】
例えば、上記ユーザからの指示に放送チャンネルおよび放送日時を含む場合、上記放送チャンネルおよび放送日時をそのまま視聴予定情報４２として記憶部２１に追加すればよい。また、上記ユーザからの指示にＴＶ番組の識別コードを含む場合、番組予約部３３は、番組情報４１を参照して、上記識別コードに対応する放送チャンネルおよび放送日時を抽出し、抽出したチャンネルおよび放送日時を視聴予定情報４２として記憶部２１に追加すればよい。
【００６８】
なお、番組予約部３３は、ユーザからの指示に基づく代わりに、記憶部２１の視聴履歴情報４３およびユーザ情報４４を参照して、ユーザが視聴しているＴＶ番組の傾向を推定し、推定したＴＶ番組の傾向に該当するＴＶ番組を番組情報４１から選択し、選択したＴＶ番組の視聴の予約を行うこともできる。
【００６９】
また、ユーザからの指示に録画先および録画モードが含まれていない場合、番組予約部３３は、所定の録画先および録画モードを選択してもよいし、ＴＶ番組の放送時間、ＨＤＴＶ（高品位ＴＶ）であるか否か、などのＴＶ番組に関する各種情報に基づいて選択してもよい。
【００７０】
放送日時監視部３４は、視聴予定情報４２に含まれるＴＶ番組の放送日時が近付いたかどうかを監視するものである。上記放送日時が近付いた場合には、視聴予定情報４２に含まれる当該ＴＶ番組の各種情報を案内送出部３６および視聴録画判断部３８に送信する。
【００７１】
なお、上記放送日時が近付いたかどうかは、カレンダクロック２８が示す現在の日時以降の所定時間内に上記放送日時が含まれるかどうかで判断することができる。上記所定時間は、初期設定で１０分となっているが、ユーザが適宜変更できることが望ましい。
【００７２】
通信状況検知部３５は、無線通信部２５と携帯電話機１３との通信状況を検知するものである。具体的には、通信状況検知部３５は、無線通信部２５に携帯電話機１３との近距離無線通信を定期的に行わせることにより、無線通信部２５と携帯電話機１３とが通信可能状態にあるか通信不能状態にあるかを検知するものである。通信状況検知部３５は、検知結果を案内送出部３６に通知する。
【００７３】
案内送出部３６は、放送日時監視部３４から受信したＴＶ番組の各種情報に基づき、ユーザに上記ＴＶ番組の視聴または録画を促す旨の案内情報を、携帯電話機１３に送信するためのものである。本実施形態では、案内送出部３６は、通信状況検知部３５からの検知結果に基づいて、携帯電話機１３との近距離無線通信が可能である場合、ユーザに上記ＴＶ番組の視聴を促す旨の視聴案内情報を無線通信部２５に送出する。従って、視聴案内情報は、無線通信部２５から近距離無線通信を介して携帯電話機１３に送信されることになる。
【００７４】
一方、携帯電話機１３との近距離無線通信が不能である場合、案内送出部３６は、ユーザに上記ＴＶ番組の録画を促す旨の録画案内情報を、携帯電話機１３を送信先として公衆網通信部２６に送出する。これにより、録画案内情報は、公衆網通信部２６から公衆網１４および基地局１５を介して携帯電話機１３に送信されることになる。なお、この場合、録画案内情報は、既存の電子メールシステムを利用して、電子メールで送信することが望ましい。
【００７５】
録画要否取得部３７は、案内送出部３６から携帯電話機１３に送信した視聴案内情報または録画案内情報に基づき、ＴＶ番組を録画するか否かを示す録画要否情報（記録要否情報）をユーザから入力部２９を介して取得するものである。録画要否取得部３７は、取得した録画要否情報を視聴録画判断部３８に送信する。ここで、ユーザからの指示は、操作部２７を介して行われてもよいし、近距離無線通信を利用して、携帯電話機１３から無線通信部２５を介して行われてもよいし、公衆網１４を利用して、携帯電話機１３から公衆網通信部２６を介して行われてもよい。
【００７６】
視聴録画判断部３８は、放送日時監視部３４から受信したＴＶ番組の各種情報と、録画要否取得部３７から受信した録画要否情報とに基づいて、チューナ部２２からのＴＶ信号を、そのまま出力してユーザＵに視聴させるか、或いは録画するかを判断するものである。視聴録画判断部３８は、判断結果をＡＶ出力制御部３１および録画制御部３２に通知する。
【００７７】
具体的には、視聴録画判断部３８は、カレンダクロック２８からの現在日時が、放送日時監視部３４から受信したＴＶ番組の放送日時に達するまでに、録画要否取得部３７から録画要否情報を受信した場合には、受信した録画要否情報に基づいて、視聴および録画の何れかを判断する。一方、視聴録画判断部３８は、上記現在日時が上記ＴＶ番組の放送日時に達するまでに上記録画要否情報を受信しなかった場合には、録画すると判断する。
【００７８】
次に、携帯電話機１３の詳細について説明する。図５は、携帯電話機１３の概略構成を示している。図示のように、携帯電話機１３は、制御部５０、記憶部５１、携帯電話用アンテナ部５２、携帯電話網通信部（公衆網通信部）５３、音声処理部５４、音声入力部５５、音声出力部５６、データ処理部５７、操作部（入力部）５８、表示部５９、報知部６０、近距離無線通信用アンテナ部６１、近距離無線通信部（無線通信部）６２、およびカレンダクロック６３を備える構成である。
【００７９】
制御部５０は、携帯電話機１３内の各種構成を統括的に制御するものである。制御部５０の機能は、例えばＲＡＭやフラッシュメモリなどの記憶素子に記憶されたプログラムをＣＰＵが実行することによって実現される。なお、制御部５０の詳細については後述する。
【００８０】
記憶部５１は、各種データおよびプログラムを記憶するものである。記憶部５１の例としては、制御部５０が動作するときに必要なプログラムや、通信制御データなどの固定データを記憶する読出し専用の半導体メモリであるＲＯＭと、バーコード認識や通信に関するデータ、演算に使用するデータ、および演算結果などを一時的に記憶する、いわゆるワーキングメモリとしてのＲＡＭと、各種の設定データ、撮影画像データ、電子メールデータなどを記憶する書換え可能な不揮発性メモリ（例えばフラッシュメモリ）とが挙げられる。
【００８１】
携帯電話用アンテナ部５２は、電波を外部に送り出すとともに外部から電波を受け取るためのものである。具体的には、携帯電話用アンテナ部５２は、８００ＭＨｚ帯または１．５ＧＨｚ帯の携帯電話機用電波を送受するためのものである。
【００８２】
携帯電話網通信部５３は、音声処理部５４またはデータ処理部５７から受信したデータを、携帯電話網の基地局への無線送信に適した形式に変換し、変換した無線信号を携帯電話用アンテナ部５２を介して外部に送信するものである。また、携帯電話網通信部５３は、外部から携帯電話用アンテナ部５２を介して受信した無線信号を元の形式に変換し、変換したデータを音声処理部５４またはデータ処理部５７に送信するものである。具体的には、携帯電話網通信部５３では、チャネルコーデック処理、ベースバンド信号処理、データの変復調処理、ＲＦ（Radio Frequency）処理などが行われる。
【００８３】
音声処理部５４は、音声入力部５５からの音声信号を所定の音声データに変換して携帯電話網通信部５３に送信するとともに、携帯電話網通信部５３からの音声データを音声信号に変換して音声出力部５６に送信するものである。具体的には、音声処理部５４は、Ａ／Ｄ変換器、Ｄ／Ａ変換器、アンプ、音声コーデック回路などを備える構成である。
【００８４】
音声入力部５５は、外部から入力された音波を、電気信号である音声信号に変換して音声処理部５４に送信するものである。具体的には、音声入力部５５はマイクロホンを備える構成である。
【００８５】
音声出力部５６は、音声処理部５４からの音声信号を音波に変換して外部に出力するものである。具体的には、音声出力部５６は、レシーバ、スピーカ、音声出力用コネクタなどを備える構成である。通常、携帯電話機１３では、通話を行う場合にはレシーバが利用され、着信の報知やテレビ電話を行う場合にはスピーカが利用される。また、音楽を聴く場合には、周囲の人々に配慮して、音声出力用コネクタにヘッドホンが接続される。
【００８６】
なお、電話機の場合、音声入力部５５に入力するユーザの音声が音声出力部５６から聞こえることが望ましい。このため、音声処理部５４は、音声入力部５５からの音声信号を所定の音量レベルに調整した後、音声出力部５６に送信することが望ましい。
【００８７】
データ処理部５７は、制御部５０からのデータを所定形式のデータに符号化して携帯電話網通信部５３に送信するとともに、携帯電話網通信部５３からのデータを復号化して制御部５０に送信するものである。データ処理部５７で行われるデータの符号化／復号化（コーデック）方式の例としては、ＭＰＥＧ（Moving Picture Experts Group）−４、およびＩＴＵ−Ｔ勧告Ｈ．２６３が挙げられる。
【００８８】
操作部５８は、携帯電話機１３の表面に設けられた操作ボタンなどの入力デバイスをユーザが操作することにより、操作データを作成して制御部５０に送信するものである。入力デバイスとしては、ボタンスイッチの他にタッチパネルなどが挙げられる。
【００８９】
表示部５９は、制御部５０から画像データを受信し、受信した画像データに基づいて表示画面に画像を表示するものである。具体的には、表示部５９は、ＬＣＤ、ＰＤＰ（Plasma Display Panel）、ＥＬディスプレイなどの表示素子と、受信した画像データに基づいて表示素子を駆動するドライバ回路とを備える構成である。
【００９０】
報知部６０は、制御部５０からの指示に基づき、ユーザへの報知を行うものである。報知部６０が行う報知の例としては、偏心モータなどの振動素子を用いて携帯電話機１３を振動させたり、ＬＥＤ（light emitting diode）などの発光素子を用いて発光させたりすることが挙げられる。なお、報知部６０は、音声出力部５６または表示部５９で代用することもできる。
【００９１】
近距離無線通信用アンテナ部６１は、電波を外部に送り出すとともに外部から電波を受け取るためのものである。例えば、近距離無線通信としてブルートゥース（登録商標）を利用する場合、近距離無線通信用アンテナ部６１は、２．４５ＧＨｚ帯の電波を送受することになる。
【００９２】
近距離無線通信部６２は、制御部５０から受信したデータを近距離無線送信に適した形式に変換し、変換した無線信号を、近距離無線通信用アンテナ部６１を介して外部に送信するとともに、外部から近距離無線通信用アンテナ部６１を介して受信した無線信号を元の形式に変換し、変換したデータを制御部５０に送信するものである。具体的には、近距離無線通信部６２では、データの変復調処理、ＲＦ処理などが行われる。
【００９３】
カレンダクロック６３は、現在の日時を測定するものであり、測定した現在の日時を示す日時情報を制御部５０に送信する。なお、カレンダクロック６３は、現在の年月も測定することが望ましい。また、カレンダクロック６３の日時は、ユーザＵが操作部５８を操作することにより設定してもよいし、タイムサーバ（図示せず）から公衆網１４を介して正確な時刻情報を取得して自動的に設定してもよい。
【００９４】
次に、携帯電話機１３における制御部５０の詳細について図６に基づいて説明する。図６は、制御部５０の概略構成を示している。図示のように、制御部５０は、案内取得部（案内取得手段）７１、案内出力制御部（出力制御手段、送信予定時刻取得手段、現在時刻取得手段）７２、録画要否作成部（記録要否作成手段）７３、および録画要否送出部（記録要否送出手段）７４を備える構成である。なお、以下では、携帯電話網通信部５３および近距離無線通信部６２を総称して「通信部６５」といい、音声出力部５６、表示部５９、報知部６０を総称して「出力部６６」という。
【００９５】
案内取得部７１は、上述の視聴案内情報を、録画装置１１から近距離無線通信部６２を介して取得すると共に、上述の録画案内情報を、録画装置１１から公衆網１４および携帯電話網通信部５３を介して取得するものである。案内取得部７１は、取得した案内情報を案内出力制御部７２に送信する。
【００９６】
案内出力制御部７２は、案内取得部７１からの案内情報を出力するように出力部６６を制御するものである。具体的には、案内出力制御部７２は、案内情報の到着をユーザに報知するように報知部６０を制御し、案内情報を表示するように表示部５９を制御する。なお、案内出力制御部７２は、案内情報を音声出力するように音声出力部５６を制御してもよい。
【００９７】
図７（ａ）および（ｂ）は、それぞれ、携帯電話機１３の表示部５９に表示される視聴案内情報および録画案内情報の一例を示している。図示のように、視聴案内情報では、番組が始まる旨を伝える一方、録画案内情報では録画を開始する旨を伝えている。また、同図（ａ）・（ｂ）に示されるように、視聴案内情報および録画案内情報の何れも、録画の要否を選択させる情報を含んでいる。録画の要否を選択させる情報を視聴案内情報に含めているのは、携帯電話機１３のユーザが録画装置１１の近くに位置しても、何らかの作業を行っていて、ＴＶ番組を視聴できない場合が有りうるからである。
【００９８】
また、案内出力制御部７２は、カレンダクロック６３からの現在日時が、案内情報に含まれるＴＶ番組の放送日時に到達した場合、上記視聴案内情報および上記録画案内情報の代わりに、既に録画を開始した旨を示す録画開始情報（記録開始情報）を出力するように出力部６６を制御している。図７（ｃ）は、携帯電話機１３の表示部５９に表示される録画開始情報の一例を示している。図示のように、録画開始情報では、録画装置１１にて録画が既に開始されているので、録画の要否を選択させる情報が省略されている。
【００９９】
なお、電子メールシステムを利用して、録画案内情報を電子メールとして取得することができる。図８は、録画案内情報を電子メールで受信した場合における電子メールの内容の一例を示している。図示のように、送信先には、携帯電話機１３のメールアドレスが含まれており、送信元として、録画装置１１のメールアドレスが含まれており、かつ、本文には、プログラムの実行命令（Ｏｐｅｎ）、案内出力制御部７２として機能するプログラムのファイル名（ＴＶＲｅｃｏｒｄｅｒ．ｅｘｅ）、放送日時（２００６１２０１）、チャンネル（ａ８）、録画品質（ＸＰ）、開始時刻（２１００）、および終了時刻（２１５４）が含まれている。
【０１００】
したがって、携帯電話機１３は、図８に示される電子メールを受信すると、本文に記載されたファイル名のプログラムを実行することにより、図７（ｂ）に示されるような画面を表示することができる。
【０１０１】
図６に戻ると、録画要否作成部７３は、ユーザＵによる操作部５８の操作に基づいて、録画の要否を示す録画要否情報を作成するものである。録画要否作成部７３は、作成した録画要否情報を録画要否送出部７４に送信する。
【０１０２】
録画要否送出部７４は、録画要否作成部７３からの録画要否情報を、通信部６５に送出するものである。これにより、録画要否情報が録画装置１１に送信される。
【０１０３】
例えば、録画要否情報が視聴案内情報に対応して作成されたものである場合、録画要否情報は、録画要否送出部７４から近距離無線通信部６２を介して近距離無線通信で録画装置１１に送信される。一方、録画要否情報が録画案内情報に対応して作成されたものである場合、録画要否情報は、録画要否送出部７４から携帯電話網通信部５３および公衆網１４を介して録画装置１１に送信される。なお、携帯電話機１３が、録画装置１１に対し赤外線信号を送信して遠隔操作する赤外線リモコン機能を有する場合、録画要否情報は、録画要否送出部７４から通信部６５における赤外線送信部（図示せず）を介して赤外線で録画装置１１に送信されてもよい。
【０１０４】
上記構成の録画装置１１および携帯電話機１３における処理動作について図９および図１０を参照して説明する。図９は、録画装置１１の制御部２０が行う処理動作を示しており、図１０は、携帯電話機１３の制御部５０が行う処理動作を示している。
【０１０５】
図９に示されるように、まず、録画装置１１の放送日時監視部３４は、記憶部２１に記憶された視聴予定情報４２に、視聴を予定しているＴＶ番組の情報が存在するかを判断する（ステップＳ１１（以下「Ｓ１１」と略称することがある。他のステップについても同様である。））。該当する場合にはステップＳ１２に進み、該当しない場合には、ユーザＵが視聴を所望するＴＶ番組が存在しないので、処理動作を終了する。
【０１０６】
ステップＳ１２において、放送日時監視部３４は、視聴予定情報４２に含まれるＴＶ番組の開始時刻のうち、最先の開始時刻に近付く、すなわち最先の開始時刻の１０分前に達するまで待機する。
【０１０７】
その後、通信状況検知部３５は、無線通信部２５と携帯電話機１３との近距離無線通信が可能であるか否かを判断する（Ｓ１３）。上記近距離無線通信が可能である場合（Ｓ１３にてＹＥＳ）、案内送出部３６は、図７（ａ）に示されるような視聴案内情報を、上記近距離無線通信を介して携帯電話機１３へ送信する（Ｓ１４）。一方、上記近距離無線通信が不能である場合（Ｓ１３にてＮＯ）、案内送出部３６は、図７（ｂ）に示されるような録画案内情報を、公衆網１４を介して携帯電話機１３へ送信する（Ｓ１５）。
【０１０８】
このとき、携帯電話機１３では、案内取得部７１が、録画装置１１から通信部６５を介して案内情報（視聴案内情報または録画案内情報）を取得するまで待機しており（Ｓ３１）、その後、取得した案内情報を案内出力制御部７２が出力部６６に出力する（Ｓ３２）。
【０１０９】
次に、ユーザＵから操作部５８を介して指示されるか、或いは上記案内情報に含まれるＴＶ番組の放送開始時刻に到達するまで待機する（Ｓ３３・Ｓ３４）。上記ＴＶ番組の放送開始時刻に到達した場合（Ｓ３４にてＹＥＳ）、案内出力制御部７２は、図７（ｃ）に示されるような録画開始情報、すなわち上記ＴＶ番組の放送開始時刻を経過し、録画開始済みである旨を出力部６６に出力し（Ｓ３５）、その後、携帯電話機１３における処理を終了する。
【０１１０】
一方、ユーザＵから操作部５８を介して指示された場合（Ｓ３３にてＹＥＳ）、録画要否作成部７３は、該指示が録画装置１１に録画処理を実行させるものであるか否かを判断する（Ｓ３６）。録画処理を実行させるものである場合（Ｓ３６にてＹＥＳ）、録画実行指示を含む録画要否情報を録画要否作成部７３が作成し、作成した録画要否情報を録画要否送出部７４が録画装置１１に送信する（Ｓ３７）。一方、録画処理を実行させないものである場合（Ｓ３６にてＮＯ）、録画非実行指示を含む録画要否情報を録画要否作成部７３が作成し、作成した録画要否情報を録画要否送出部７４が録画装置１１に送信する（Ｓ３８）。その後、携帯電話機１３における処理を終了する。
【０１１１】
このとき、録画装置１１では、携帯電話機１３から指示を受信する、すなわち録画要否取得部３７が携帯電話機１３から録画要否情報を取得するか、或いは案内送出部３６が送出した案内情報に含まれるＴＶ番組の放送開始時刻に到達するまで待機する（Ｓ１６・Ｓ１７）。上記ＴＶ番組の放送開始時刻に到達した場合（Ｓ１７にてＹＥＳ）、ステップＳ２０に進む。
【０１１２】
一方、録画要否取得部３７が録画要否情報を取得した場合（Ｓ１６にてＹＥＳ）、視聴録画判断部３８は、取得した録画要否情報に含まれる指示が、録画処理を実行させるものであるか否かを判断する（Ｓ１８）。上記指示が、録画処理を実行させないものである場合（Ｓ１８にてＮＯ）、望ましくは、上記ＴＶ番組の放送開始時刻に到達すると、上記ＴＶ番組のＴＶ信号を受信するように制御部２０がチューナ部２２を制御すると共に、上記ＴＶ信号を表示装置１２に出力するようにＡＶ出力制御部３１がＡＶ出力部２３を制御し、その後、録画装置１１における処理動作を終了する。
【０１１３】
一方、上記指示が、録画処理を実行させるものである場合（Ｓ１８にてＹＥＳ）、上記ＴＶ番組の放送開始時刻に到達するまで待機し（Ｓ１９）、その後、ステップＳ２０に進む。
【０１１４】
そして、ステップＳ２０にて、上記ＴＶ番組のＴＶ信号を受信するように制御部２０がチューナ部２２を制御すると共に、上記ＴＶ番組のＴＶ信号を記録部２４に記録するように録画制御部３２が制御し、その後、録画装置１１における処理動作を終了する。
【０１１５】
したがって、本実施形態の視聴システム１０では、録画装置１１が携帯電話機１３に送信した案内情報に対応するＴＶ番組の録画要否情報を、携帯電話機１３が録画装置１１に送信し、上記録画要否情報に基づいて、録画装置１１が上記ＴＶ番組を録画するので、ユーザＵは、現在の状況に応じてＴＶ番組を録画するか否かを決定することができる。
【０１１６】
また、録画装置１１は、上記録画要否情報を放送予定時刻までに取得できない場合、上記ＴＶ番組を録画しておくので、後にユーザＵが上記ＴＶ番組を視聴できなくなることを防止できる。さらに、このとき、携帯電話機１３が、上記ＴＶ番組の録画を開始していることを示す録画開始情報を出力するので、上記ＴＶ番組の放送前後で、的確な情報をユーザＵに通知することができる。
【０１１７】
〔実施の形態２〕
次に、本発明の他の実施形態について図１１〜図１５を参照して説明する。図１１は、本実施形態の視聴システムの概要を示している。図示のように、本実施形態の視聴システム（データ記録システム）８０は、図１に示される視聴システム１０に比べて、公衆網１４に通信可能に接続する視聴予定管理サーバ８１が設けられ、録画装置１１および携帯電話機１３間における公衆網１４を介しての通信に、視聴予定管理サーバ８１が介在する点が異なり、その他の構成は同様である。なお、上記実施形態で説明した構成と同様の機能を有する構成には同一の符号を付して、その説明を省略する。
【０１１８】
図１２は、視聴予定管理サーバ（サーバ）８１の概略構成を示している。視聴予定管理サーバ８１は、ＷＷＷ（World Wide Web）サーバであり、図示のように、制御部８２、記憶部８３、録画装置側通信部（通信部）８４、携帯電話機側通信部（通信部）８５、およびカレンダクロック８６を備える構成である。
【０１１９】
制御部８２は、視聴予定管理サーバ８１内の各種構成を統括的に制御するものである。制御部８２の機能は、例えばＲＡＭやフラッシュメモリなどの記憶素子に記憶されたプログラムをＣＰＵが実行することによって実現される。なお、制御部８２の詳細については後述する。
【０１２０】
記憶部８３は、各種データおよびプログラムを記憶するものである。記憶部８３の例としては、制御部８２が動作するときに必要なプログラムや、通信制御データなどの固定データを記憶する読出し専用の半導体メモリであるＲＯＭと、通信に関するデータ、演算に使用するデータ、および演算結果などを一時的に記憶する、いわゆるワーキングメモリとしてのＲＡＭと、クライアントに各種のサービスを提供するために必要なデータを記憶するＨＤＤとが挙げられる。
【０１２１】
録画装置側通信部８４および携帯電話機側通信部８５は、制御部８２から受信したデータを公衆網１４上の送信に適した形式に変換し、変換した信号を公衆網１４に送信するとともに、公衆網１４から受信した信号を元の形式に変換し、変換したデータを制御部８２に送信するものである。具体的には、録画装置側通信部８４および携帯電話機側通信部８５は、モデム、ルータ等の何れかを備える構成である。
【０１２２】
カレンダクロック８６は、現在の日時を測定するものであり、測定した現在の日時を示す日時情報を制御部８２に送信する。なお、カレンダクロック８６は、現在の年月も測定することが望ましい。また、カレンダクロック８６の日時は、サーバ管理者が操作部（図示せず）を操作することにより設定してもよいし、タイムサーバ（図示せず）から公衆網１４を介して正確な時刻情報を取得して自動的に設定してもよい。
【０１２３】
次に、制御部８２に詳細について説明する。図１２に示されるように、制御部８２は、案内取得部（案内取得手段）９１、案内送出部（案内送信制御手段）９２、放送予定日時取得部（送信予定時刻取得手段）９３、録画要否作成部（記録要否作成手段、現在時刻取得手段、案内送信制御手段）９４、および録画要否送出部（記録要否送信制御手段）９５を備える構成である。
【０１２４】
案内取得部９１は、録画装置１１からの録画案内情報を、公衆網１４および録画装置側通信部８４を介して取得するものである。案内取得部９１は、取得した録画案内情報を案内送出部９２および放送予定日時取得部９３に送信する。
【０１２５】
案内送出部９２は、案内取得部９１からの録画案内情報に、視聴予定管理サーバ８１のＵＲＬ（Uniform Resource Locator）を追加し、携帯電話機１３を送信先として携帯電話機側通信部８５に送出する。これにより、録画案内情報は、携帯電話機側通信部８５から公衆網１４および基地局１５を介して携帯電話機１３に送信されることになる。なお、送信先の情報は、録画案内情報と共に録画装置１１から送信されてもよいし、録画装置１１と対応付けて記憶部８３に予め記憶してもよい。また、上記録画案内情報およびＵＲＬは、既存の電子メールシステムを利用して、電子メールで送信することが望ましい。
【０１２６】
図１３は、上記録画案内情報およびＵＲＬを電子メールで送信する場合における電子メールの内容の一例を示している。図示のように、送信先には、携帯電話機１３のメールアドレスが含まれており、送信元として、視聴予定管理サーバ８１のメールアドレスが含まれており、かつ、本文には、視聴予定のＴＶ番組に関する放送日時、チャンネル、録画品質、開始時刻、および終了時刻が含まれ、かつ、問合せ先として、視聴予定管理サーバ８１のＵＲＬが含まれている。
【０１２７】
したがって、携帯電話機１３は、図１３に示される電子メールを受信すると、ユーザＵが操作部５８を介して上記ＵＲＬを選択することにより、視聴予定管理サーバ８１にアクセスすることができ、図７（ｂ）に示されるような画面を表示することができる。
【０１２８】
図１２に戻ると、放送予定日時取得部９３は、案内取得部９１からの視聴案内情報に含まれるＴＶ番組の放送日時を取得するものである。放送予定日時取得部９３は、取得した放送予定日時を録画要否作成部９４に送信する。
【０１２９】
録画要否作成部９４は、携帯電話機１３からの指示に基づいて、録画の要否を示す録画要否情報を作成するものである。録画要否作成部９４は、作成した録画要否情報を録画要否送出部９５に送信する。なお、録画要否作成部９４は、カレンダクロック８６からの現在日時が、放送予定日時取得部９３から受信したＴＶ番組の放送日時に達している場合、録画装置１１が上記ＴＶ番組の録画を開始するので、録画要否作成部９４は、録画要否情報を作成する代わりに、図７（ｃ）に示されるような録画開始情報を含むＨＴＭＬ（Hypertext Markup Language）データを、携帯電話機側通信部８５、公衆網１４、および基地局１５を介して携帯電話機１３に送信する。
【０１３０】
録画要否送出部９５は、録画要否作成部９４からの録画要否情報を、録画装置側通信部８４に送出するものである。これにより、録画要否情報が、公衆網１４を介して録画装置１１に送信される。
【０１３１】
上記構成の録画装置１１および視聴予定管理サーバ８１における処理動作について図１４および図１５を参照して説明する。図１４は、録画装置１１の制御部２０が行う処理動作を示しており、図１５は、視聴予定管理サーバ８１の制御部８２が行う処理動作を示している。
【０１３２】
図１４に示されるように、本実施形態における録画装置１１の制御部２０が行う処理動作は、図９に示される処理動作に比べて、下記の処理動作が異なり、その他の処理動作は同様である。
【０１３３】
すなわち、図９に示されるステップＳ１５において、案内送出部３６が、図７（ｂ）に示されるような録画案内情報を、公衆網１４を介して携帯電話機１３へ送信する代わりに、上記録画案内情報を、公衆網１４を介して視聴予定管理サーバ８１へ送信している（Ｓ４１）。
【０１３４】
また、図９に示されるステップＳ１６において、携帯電話機１３から指示を受信するかを判断する代わりに、携帯電話機１３または視聴予定管理サーバ８１から指示を受信するかを判断している（Ｓ４１）。具体的には、録画要否取得部３７が、録画要否情報を、携帯電話機１３から近距離無線通信で取得するか、或いは視聴予定管理サーバ８１から公衆網１４を介して取得するかを判断している。
【０１３５】
一方、視聴予定管理サーバ８１では、図１５に示されるように、案内取得部９１が、録画装置１１から録画装置側通信部８４を介して録画案内情報を取得するまで待機しており（Ｓ５１）、その後、取得した録画案内情報と自サーバ８１のＵＲＬとを、案内送出部９２が携帯電話機１３に送信する（Ｓ５２）。次に、録画要否作成部９４が、上記ＵＲＬを利用することにより、携帯電話機１３から視聴予定管理サーバ８１へアクセスされるまで待機する（Ｓ５３）。その後、録画要否作成部９４は、放送予定日時取得部９３からの放送日時とカレンダクロック８５からの現在日時とを用いて、ＴＶ番組の放送開始時刻に到達したか否かを判断する（Ｓ５４）。
【０１３６】
上記ＴＶ番組の放送開始時刻に到達した場合（Ｓ５４にてＹＥＳ）、録画要否作成部９４は、図７（ｃ）に示されるような録画開始情報、すなわち上記ＴＶ番組の放送開始時刻を経過し、録画開始済みである旨を、携帯電話機側通信部８５、公衆網１４、および基地局１５を介して携帯電話機１３に送信し（Ｓ５５）、その後、視聴予定管理サーバ８１における処理を終了する。
【０１３７】
一方、上記ＴＶ番組の放送開始時刻に到達していない場合（Ｓ５４にてＮＯ）、録画要否作成部９４は、携帯電話機１３からの指示が、録画装置１１に録画処理を実行させるものであるか否かを判断する（Ｓ５６）。録画処理を実行させるものである場合（Ｓ５６にてＹＥＳ）、録画実行指示を含む録画要否情報を録画要否作成部９４が作成し、作成した録画要否情報を録画要否送出部９５が録画装置１１に送信する（Ｓ５７）。一方、録画処理を実行させないものである場合（Ｓ５６にてＮＯ）、録画非実行指示を含む録画要否情報を録画要否作成部９４が作成し、作成した録画要否情報を録画要否送出部９５が録画装置１１に送信する（Ｓ５８）。その後、視聴予定管理サーバ８１における処理を終了する。
【０１３８】
したがって、本実施形態の視聴システム８０は、上述の視聴システム１０の効果と同様の効果を奏すると共に、さらに以下の効果を奏することができる。すなわち、携帯電話機１３は、ＷＷＷサーバである視聴予定管理サーバ８１にアクセスしてデータを閲覧するためのＷＷＷブラウザ機能と、近距離無線通信機能とを有する携帯電話機であれば、任意の携帯電話機を利用することができる。
【０１３９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４０】
例えば、上記実施形態では、録画装置１１が近距離無線通信を行う相手先として携帯電話機１３を利用しているが、例えばＰＤＡ、ＩＣタグ、車のエントリーキー、自動車電話機などのように、ユーザＵと共に移動可能であり、かつ録画装置１１と近距離無線通信で通信可能な任意の移動体通信端末を利用することができる。
【０１４１】
また、上記実施形態では、ＴＶ番組を録画する録画装置１１に本発明を適用しているが、例えば、ラジオ番組を録音する録音装置にも本発明を適用することができる。このように、本発明は、データを受信し、受信したデータを記録可能な任意のデータ記録装置に適用することができる。
【０１４２】
最後に、録画装置１１、携帯電話機１３、および視聴予定管理サーバ８１の各ブロック、特に制御部２０・５０・８２は、ハードウェアロジックによって構成してもよいし、次のようにＣＰＵを用いてソフトウェアによって実現してもよい。
【０１４３】
すなわち、録画装置１１、携帯電話機１３、および視聴予定管理サーバ８１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである録画装置１１、携帯電話機１３、および視聴予定管理サーバ８１の制御プログラムのプログラムコード（実行形式プログラム、中間コードプログラム、ソースプログラム）をコンピュータで読み取り可能に記録した記録媒体を、上記録画装置１１、携帯電話機１３、および視聴予定管理サーバ８１に供給し、そのコンピュータ（またはＣＰＵやＭＰＵ）が記録媒体に記録されているプログラムコードを読み出し実行することによっても、達成可能である。
【０１４４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４５】
また、録画装置１１、携帯電話機１３、および視聴予定管理サーバ８１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１４６】
以上のように、本発明は、ＴＶ番組の放送が近付いていることを示す案内情報を、ユーザの状況に応じたもので提供できるので、録画装置だけでなく、録音装置にも適用でき、さらに、任意のデータ記録装置にも適用できる。
【図面の簡単な説明】
【０１４７】
【図１】本発明の一実施形態である視聴システムの概要図である。
【図２】上記視聴システムにおける録画装置の概略構成を示すブロック図である。
【図３】上記録画装置における制御部および記憶部の概略構成を示すブロック図である。
【図４】上記記憶部に記憶される視聴予定情報の一例を表形式で示す図である。
【図５】上記視聴システムにおける携帯電話機の概略構成を示すブロック図である。
【図６】上記携帯電話機における制御部の概略構成を示すブロック図である。
【図７】同図（ａ）ないし（ｃ）は、それぞれ、上記携帯電話機の表示部に表示される視聴案内情報、録画案内情報、および録画開始情報の一例を示す図である。
【図８】上記録画案内情報を電子メールで受信した場合における上記電子メールの内容の一例を示す図である。
【図９】上記録画装置の制御部が行う処理動作を示すフローチャートである。
【図１０】上記携帯電話機の制御部が行う処理動作を示すフローチャートである。
【図１１】本発明の他の実施形態である視聴システムの概要図である。
【図１２】上記視聴システムにおける視聴予定管理サーバの概略構成を示すブロック図である。
【図１３】上記視聴予定管理サーバが、上記視聴システムにおける携帯電話機に送信する電子メールの内容の一例を示す図である。
【図１４】上記視聴システムにおける録画装置の制御部が行う処理動作を示すフローチャートである。
【図１５】上記視聴予定管理サーバの制御部が行う処理動作を示すフローチャートである。
【符号の説明】
【０１４８】
１０・８０    視聴システム（データ記録システム）
１１    録画装置（データ記録装置）
１２    表示装置
１３    携帯電話機（移動体通信端末）
１４    公衆網
２０    制御部
２１    記憶部
２２    チューナ部（データ受信部）
２３    ＡＶ出力部（データ出力部）
２４    記録部（記憶部）
２５    無線通信部
２６    公衆網通信部
２８・６３・８６    カレンダクロック
３２    録画制御部（記録制御手段）
３４    放送日時監視部（送信予定時刻取得手段）
３５    通信状況検知部（通信判断手段）
３６    案内送出部（案内送出手段）
３７    録画要否取得部（記録要否取得手段）
３８    視聴録画判断部（記録制御手段、現在時刻取得手段）
４１    番組情報（スケジュール）
４２    視聴予定情報
５３    携帯電話網通信部（公衆網通信部）
５８    操作部（入力部）
６２    近距離無線通信部（無線通信部）
６６    出力部
７１    案内取得部（案内取得手段）
７２    案内出力制御部（出力制御手段、送信予定時刻取得手段、現在時刻取得手段）
７３    録画要否作成部（記録要否作成手段）
７４    録画要否送出部（記録要否送出手段）
８１    視聴予定管理サーバ（サーバ）
８４    録画装置側通信部（通信部）
８５    携帯電話機側通信部（通信部）
９１    案内取得部（案内取得手段）
９２    案内送出部（案内送信制御手段）
９３    放送予定日時取得部（送信予定時刻取得手段）
９４    録画要否作成部（記録要否作成手段、現在時刻取得手段、案内送信制御手段）
９５    録画要否送出部（記録要否送信制御手段）
【図１】
2008135990.tif 000003
【図２】
2008135990.tif 000004
【図３】
2008135990.tif 000005
【図４】
2008135990.tif 000006
【図５】
2008135990.tif 000007
【図６】
2008135990.tif 000008
【図７】
2008135990.tif 000009
【図８】
2008135990.tif 000010
【図９】
2008135990.tif 000011
【図１０】
2008135990.tif 000012
【図１１】
2008135990.tif 000013
【図１２】
2008135990.tif 000014
【図１３】
2008135990.tif 000015
【図１４】
2008135990.tif 000016
【図１５】
2008135990.tif 000017